(57)【要約】【課題】操作性およびデザイン性を向上させる。【解決手段】本体部１２と、流路１００ａ，１００ｂ，１００ｃにそれぞれ連通するように本体部１２に配設された弁座１３１ａ，１３１ｂ，１３１ｃと、本体部１２内に配設されて弁座１３１ａ，１３１ｂ，１３１ｃをそれぞれ開閉する弁体１５ａ，１５ｂ，１５ｃと、回動に応じて弁体１５ａ，１５ｂ，１５ｃを移動させるカムシャフト１６ａ，１６ｂとを備え、カムシャフト１６ａ，１６ｂによる弁体１５ａ，１５ｂ，１５ｃの移動によって流路１００ａ，１００ｂ，１００ｃを切り替え可能に構成され、カムシャフト１６ａ，１６ｂを回動させる回動機構１７を備え、回動機構１７は、カムシャフト１６ａ，１６ｂの長さ方向に沿ってスライド可能なスライダ１７４と、スライダ１７４のスライドに伴って回動する回動体１７２とを備え、カムシャフト１６ａ，１６ｂは、回動体１７２の回動に伴って回動させられる。【選択図】図３
2018179042.tif 000002
【特許請求の範囲】
【請求項１】
本体部と、複数の流路にそれぞれ連通するように前記本体部に配設された複数の弁座と、当該各弁座に対して接離する接離方向に移動可能に前記本体部内に配設されて当該各弁座をそれぞれ開閉する複数の弁体と、シャフトおよび当該シャフトの先端部側に配設された複数のカムを有して前記本体部の側壁によって回動可能に支持されると共に回動に応じて当該各カムが前記各弁体にそれぞれ当接して当該各弁体を前記接離方向にそれぞれ移動させるカムシャフトとを備え、前記カムシャフトによる前記各弁体の移動によって前記各弁座の１つを開放すると共に当該１つを除く他の弁座を閉塞して前記流路を切り替える流路切替器であって、
前記カムシャフトを回動させる回動機構を備え、
前記回動機構は、前記カムシャフトの長さ方向に沿ってスライド可能なスライド部と、前記スライド部のスライドに伴って回動する回動体とを備え、
前記カムシャフトは、前記回動体の回動に伴って回動させられる流路切替器。
【請求項２】
前記スライド部は、円筒状に形成されると共に螺旋状のスリットが周壁に形成されて構成され、
前記回動体は、前記スライド部内に進入可能な円筒状に形成されると共に前記スリットに嵌合する突起部が外周面に形成されて、前記スライド部がスライドしたときに前記スリットに沿って前記突起部が案内されて回動するように構成されている請求項１記載の流路切替器。
【請求項３】
前記回動体と前記カムシャフトとの間に介在して当該カムシャフトの一方の向きの回動を許容して他方の向きの回動を規制するラチェット機構を備えている請求項１または２記載の流路切替器。
【請求項４】
前記ラチェット機構は、シリンダにおける一端部側の外周面に形成された弧状の第１ラチェット爪、および当該シリンダにおける他端部側の外周面に形成された弧状の第２ラチェット爪を有して前記カムシャフトに連結された状態で前記回動体と当該カムシャフトとの間に配設されるラチェットシリンダと、
前記回動体の内周面に形成されて、当該回動体が前記一方の向きに回動するときに前記第１ラチェット爪と噛合して前記ラチェットシリンダを当該回動体と共に当該一方の向きに回動させ、当該回動体が前記他方の向きに回動するときに当該第１ラチェット爪との噛合が解除される第１ラチェット歯と、
前記本体部に設けられた円筒体の内周面に形成されて、前記ラチェットシリンダに対して前記他方の向きへの回動力が作用したときに前記第２ラチェット爪と噛合して当該ラチェットシリンダの当該他方の向きへの回動を規制し、当該ラチェットシリンダが前記一方の向きに回動するときに当該第２ラチェット爪との噛合が解除される第２ラチェット歯とを備えて構成されている請求項３記載の流路切替器。
【請求項５】
前記回動機構は、前記シャフトの前記先端部側に向かう向きに前記スライド部がスライドしたときに前記回動体が前記一方の向きに回動するように構成されている請求項３または４記載の流路切替器。
【請求項６】
前記回動機構は、前記シャフトの前記先端部側から離反する向きに前記スライド部を付勢する付勢部を備えている請求項５記載の流路切替器。
【請求項７】
請求項１から６のいずれかに記載の流路切替器と、濾過材が収容されると共に当該流路切替器に接続可能な濾過器とを備えている浄水器。
【発明の詳細な説明】
【技術分野】
【０００１】
本発明は、流路に連通する複数の弁座と各弁座をそれぞれ開閉する複数の弁体とを備えて各弁体の移動によって流路を切り替える流路切替器、およびその流路切替器を備えた浄水器に関するものである。
【背景技術】
【０００２】
この種の流路切替器として、下記特許文献１において出願人が開示した流路切替器が知られている。この流路切替器は、弁室、カムシャフトおよび３個の弁体を有する切替弁、並びに切替レバー等を備えて構成されている。この、流路切替器では、切替レバーの揺動操作によってカムシャフトが回動する。この際に、カムシャフトに形成されている複数のカム部の１つによって各弁体の１つが弁室の底壁から離間する向きに移動させられ、これによって弁室の底壁に設けられている３個の弁座の１つが開放され、この結果、開放された弁座に連通する流路に水が流れる。そして、この流路切替器では、切替レバーの揺動操作を繰り返すことで、開放する弁座を切り替え、これによって流路を切り替えることが可能となっている。
【先行技術文献】
【特許文献】
【０００３】
【特許文献１】特開２０１６−９４９４６号公報（第５−１０頁、第３図）
【発明の概要】
【発明が解決しようとする課題】
【０００４】
ところが、上記の流路切替器には、改善すべき以下の課題がある。具体的には、この流路切替器では、切替レバーの揺動操作によって流路の切り替えが行われる。この場合、この流路切替器が組み込まれた浄水器は、水道の蛇口に固定されて使用されるため、片手で切替レバーを容易に揺動操作することができる。しかしながら、この流路切替器を例えばシャワーヘッドに組み込んだときには、シャワーヘッド自体を一方の手で支持して他方の手で切替レバーを揺動操作することとなるが、この体勢での揺動操作は、操作性が悪いとの指摘がされており、この点の改善か望まれている。また、この流路切替器をシャワーヘッドに組み込んだときには、切替レバーが本体部から突出するため、スマートなシャワーヘッドをデザインする上での支障となっている。
【０００５】
本発明は、かかる課題に鑑みてなされたものであり、操作性およびデザイン性を向上し得る流路切替器および浄水器を提供することを主目的とする。
【課題を解決するための手段】
【０００６】
上記目的を達成すべく請求項１記載の流路切替器は、本体部と、複数の流路にそれぞれ連通するように前記本体部に配設された複数の弁座と、当該各弁座に対して接離する接離方向に移動可能に前記本体部内に配設されて当該各弁座をそれぞれ開閉する複数の弁体と、シャフトおよび当該シャフトの先端部側に配設された複数のカムを有して前記本体部の側壁によって回動可能に支持されると共に回動に応じて当該各カムが前記各弁体にそれぞれ当接して当該各弁体を前記接離方向にそれぞれ移動させるカムシャフトとを備え、前記カムシャフトによる前記各弁体の移動によって前記各弁座の１つを開放すると共に当該１つを除く他の弁座を閉塞して前記流路を切り替える流路切替器であって、前記カムシャフトを回動させる回動機構を備え、前記回動機構は、前記カムシャフトの長さ方向に沿ってスライド可能なスライド部と、前記スライド部のスライドに伴って回動する回動体とを備え、前記カムシャフトは、前記回動体の回動に伴って回動させられる。
【０００７】
請求項２記載の流路切替器は、請求項１記載の流路切替器において、前記スライド部は、円筒状に形成されると共に螺旋状のスリットが周壁に形成されて構成され、前記回動体は、前記スライド部内に進入可能な円筒状に形成されると共に前記スリットに嵌合する突起部が外周面に形成されて、前記スライド部がスライドしたときに前記スリットに沿って前記突起部が案内されて回動するように構成されている。
【０００８】
請求項３記載の流路切替器は、請求項１または２記載の流路切替器において、前記回動体と前記カムシャフトとの間に介在して当該カムシャフトの一方の向きの回動を許容して他方の向きの回動を規制するラチェット機構を備えている。
【０００９】
請求項４記載の流路切替器は、請求項３記載の流路切替器において、前記ラチェット機構は、シリンダにおける一端部側の外周面に形成された弧状の第１ラチェット爪、および当該シリンダにおける他端部側の外周面に形成された弧状の第２ラチェット爪を有して前記カムシャフトに連結された状態で前記回動体と当該カムシャフトとの間に配設されるラチェットシリンダと、前記回動体の内周面に形成されて、当該回動体が前記一方の向きに回動するときに前記第１ラチェット爪と噛合して前記ラチェットシリンダを当該回動体と共に当該一方の向きに回動させ、当該回動体が前記他方の向きに回動するときに当該第１ラチェット爪との噛合が解除される第１ラチェット歯と、前記本体部に設けられた円筒体の内周面に形成されて、前記ラチェットシリンダに対して前記他方の向きへの回動力が作用したときに前記第２ラチェット爪と噛合して当該ラチェットシリンダの当該他方の向きへの回動を規制し、当該ラチェットシリンダが前記一方の向きに回動するときに当該第２ラチェット爪との噛合が解除される第２ラチェット歯とを備えて構成されている。
【００１０】
請求項５記載の流路切替器は、請求項３または４記載の流路切替器において、前記回動機構は、前記シャフトの前記先端部側に向かう向きに前記スライド部がスライドしたときに前記回動体が前記一方の向きに回動するように構成されている。
【００１１】
請求項６記載の流路切替器は、請求項５記載の流路切替器において、前記回動機構は、前記シャフトの前記先端部側から離反する向きに前記スライド部を付勢する付勢部を備えている。
【００１２】
請求項７記載の浄水器は、請求項１から６のいずれかに記載の流路切替器と、濾過材が収容されると共に当該流路切替器に接続可能な濾過器とを備えている。
【発明の効果】
【００１３】
請求項１記載の流路切替器、および請求項７記載の浄水器によれば、カムシャフトの長さ方向に沿ってスライド可能なスライド部、およびスライド部のスライドに伴って回動する回動体を有する回動機構を備えたことにより、スライド部をカムシャフトの長さ方向に沿ってスライドさせることで、カムシャフトを回動させて流路の切り替えを行うことができる。このため、この流路切替器および浄水器によれば、従来の流路切替器のような切替レバーの揺動操作を不要とすることができる結果、操作性を十分に向上させることができる。また、この流路切替器および浄水器によれば、本体部から突出する切替レバーをなくすことができるため、デザイン性を十分に向上させることができる。
【００１４】
請求項２記載の流路切替器、および請求項７記載の浄水器によれば、螺旋状のスリットをスライド部の周壁に形成し、スリットに嵌合する突起部を回動体の外周面に形成したことにより、簡易な構成でありながら、カムシャフトを確実に回動させることができるため、回動機構を十分に小型化することができる。したがって、この流路切替器および浄水器によれば、回動機構のスペースを確保することによるデザイン上の制約を少なくし、これによってデザインの自由度を高めることができる結果、デザイン性をさらに向上させることができる。
【００１５】
請求項３記載の流路切替器、および請求項７記載の浄水器によれば、回動体とカムシャフトとの間に介在してカムシャフトの一方の向きの回動を許容して他方の向きの回動を規制するラチェット機構を備えたことにより、シャフトの先端部側に向かう向きにスライド部をスライドさせたときにのみカムシャフトを回動させて流路を切り替えさせ、その逆向きにスライド部をスライドさせたときには切り替え前の流路に戻ることなくそのままの流路に維持することができる。このため、この流路切替器および浄水器によれば、ラチェット機構を備えていない構成とは異なり、カムシャフトの長さ方向に沿ってスライド部を往復させたときに、切り替えた流路が使用者の意図に反して切り替え前の流路に戻る事態を防止することができる結果、操作性をさらに向上させることができる。
【００１６】
請求項４記載の流路切替器、および請求項７記載の浄水器によれば、第１ラチェット爪および第２ラチェット爪を有するラチェットシリンダと、回動体の内周面に形成されて第１ラチェット爪と噛合する第１ラチェット歯と、本体部の円筒体の内周面に形成されて、第２ラチェット爪と噛合する第２ラチェット歯とを備えてラチェット機構を構成したことにより、簡易な構成でありながら、ラチェット機構としての機能を確実に実現することができるため、ラチェット機構を十分に小型化することができる結果、デザイン性をより向上させることができる。
【００１７】
請求項５記載の流路切替器、および請求項７記載の浄水器によれば、シャフトの先端部側に向かう向きにスライド部がスライドさせられたときに回動体が一方の向きに回動するように回動機構を構成したことにより、スライド部を押し込む操作によってカムシャフトを回動させて流路の切り替えを行うことができるため、スライド部を引っ張る操作でカムシャフトを回動させて流路の切り替えを行う構成と比較してスライド部に力を加えやすい結果、操作性をさらに向上させることができる。
【００１８】
請求項６記載の流路切替器、および請求項７記載の浄水器によれば、シャフトの先端部側から離反する向きにスライド部を付勢する付勢部を備えたことにより、シャフトの先端部に向かう向きのスライド部の押し込みを解除したときに、スライド部を初期位置（押し込み前の位置）に自動的に復帰させることができるため、操作性を一層向上させることができる。
【図面の簡単な説明】
【００１９】
【図１】シャワーヘッド１の第１の斜視図である。
【図２】シャワーヘッド１の第２の斜視図である。
【図３】流路切替器２の縦断面図（図１のＳ１面断面図）である。
【図４】流路切替器２の分解斜視図である。
【図５】本体部１２の斜視図である。
【図６】本体部１２の縦断面図（図５のＳ２面断面図）である。
【図７】本体部１２における駆動部収容室１２３の構成を示す斜視図である。
【図８】弁座ユニット１３の斜視図である。
【図９】弁体１５ａ，１５ｂ，１５ｃの斜視図である。
【図１０】カムシャフト１６ａ，１６ｂの斜視図である。
【図１１】カムシャフト１６ａ，１６ｂを図１０のＸ方向から見た側面図である。
【図１２】ラチェットシリンダ１７１の斜視図である。
【図１３】ラチェットシリンダ１７１の横断面図（図１２のＳ３面断面図）である。
【図１４】回動体１７２の斜視図である。
【図１５】回動体１７２横断面図（図１４のＳ４面断面図）である。
【図１６】スライダ１７４の斜視図である。
【図１７】回動機構１７の動作を説明する第１の説明図である。
【図１８】回動機構１７の動作を説明する第２の説明図である。
【図１９】回動体１７２のラチェット歯１７２ｃとラチェットシリンダ１７１のラチェット爪１７１ｂとの係合状態を示す断面図（図３におけるＬ１線断面図）である。
【図２０】本体部１２のラチェット歯１２４とラチェットシリンダ１７１のラチェット爪１７１ｃとの係合状態を示す断面図（図３におけるＬ２線断面図）である。
【発明を実施するための形態】
【００２０】
以下、流路切替器および浄水器の実施の形態について、添付図面を参照して説明する。
【００２１】
最初に、図１に示すシャワーヘッド１の構成について説明する。このシャワーヘッド１は、浄水器の一例であって、同図および図２に示すように、流路切替器２および濾過器３を備えて構成されている。
【００２２】
流路切替器２は、図３，４に示すように、ケース１１、本体部１２、弁座ユニット１３、吐出キャップ１４、弁体１５ａ，１５ｂ，１５ｃ（以下、区別しないときには「弁体１５」ともいう）、カムシャフト１６ａ，１６ｂ（以下、区別しないときには「カムシャフト１６」ともいう）および回動機構１７を備えて構成されている。
【００２３】
ケース１１は、図１，２に示すように、互いに嵌合可能な上ケース１１ａおよび下ケース１１ｂを備え、図３に示すように、流路切替器２を構成する他の構成要素を収容可能に構成されている。また、ケース１１は、図１，２に示すように、長尺の筒状部の中間部位から短尺の筒状部が直角方向に突出する形状に形成されている。
【００２４】
本体部１２は、図３，５，６に示すように、弁室１２１、弁座収容室１２２および駆動部収容室１２３を備えて構成されている。
【００２５】
弁室１２１は、図５，６に示すように、円筒状に形成され、図３に示すように、弁体１５ａ，１５ｂ，１５ｃ、カムシャフト１６ａ、およびカムシャフト１６ｂの先端部側（図３における左側）を収容可能に構成されている。また、図６に示すように、弁室１２１内には、カムシャフト１６ａを支持する凹部１２１ｃが形成された側壁１２１ａ、およびカムシャフト１６ｂを支持する支持孔１２１ｄが形成された側壁１２１ｂが設けられている。
【００２６】
弁座収容室１２２は、図５，６に示すように、弁室１２１の中央部から突出する円筒状に形成され、図３に示すように、弁座ユニット１３を収容可能に構成されている。また、弁座収容室１２２の先端部（図３における下端部）における内周面には、吐出キャップ１４をねじ込ませるための図外のねじ山（雌ねじ）が形成されている。
【００２７】
駆動部収容室１２３は、図６に示すように、弁室１２１の側壁１２１ｂ側に形成され、図３に示すように、回動機構１７およびカムシャフト１６ｂの基端部側（図３における右側）を収容可能に構成されている。また、駆動部収容室１２３は、図５，６に示すように、弁室１２１よりもやや大径に形成された円筒体１２３ａと、弁室１２１よりもやや小径に形成されて円筒体１２３ａ内に設けられた円筒体１２３ｂとを備えて構成されている。
【００２８】
また、図７に示すように、円筒体１２３ｂの内周面には、回動機構１７における後述するラチェットシリンダ１７１のラチェット爪１７１ｃ（第２ラチェット爪に相当する）と噛合する９個のラチェット歯１２４（第２ラチェット歯に相当する）が形成されている（図２０も参照）。また、図５，７に示すように、円筒体１２３ａの周壁には、回動機構１７における後述するスライダ１７４の突起部１７４ｂを挿入させる３個のスリット１２５が等間隔で形成されている。この場合、スリット１２５は、カムシャフト１６ａ，１６ｂの長さ方向（シャワーヘッド１の長さ方向でもあり、図１，３に示す矢印Ｚの方向）に沿って延在するように形成されている。
【００２９】
弁座ユニット１３は、図８に示すように、３個の弁座１３１ａ，１３１ｂ，１３１ｃ（以下、区別しないときには「弁座１３１」ともいう）を備えて構成されている。この場合、各弁座１３１は、図３に示すように、流路切替器２に供給される水を流動させる３つの流路１００ａ，１００ｂ，１００ｃ以下、区別しないときには「流路１００」ともいう）にそれぞれ連通する。
【００３０】
ここで、流路１００ａは、濾過器３を通過した水（浄水）を吐出キャップ１４における後述するストレート吐出口１４１に流動させる。また、流路１００ｂは、濾過器３を通過しない水（原水）を吐出キャップ１４のストレート吐出口１４１に流動させる。また、流路１００ｃは、原水を吐出キャップ１４における後述するシャワー吐出口１４２に流動させる。
【００３１】
吐出キャップ１４は、図４に示すように、有底の円筒状に形成され、図３に示すように、本体部１２の弁座収容室１２２の先端部（同図における下端部）に取り付けられている。この場合、吐出キャップ１４は、外周面に形成されている図外のねじ山（雄ねじ）を弁座収容室１２２の先端部おける内周面に形成されているねじ山に（雌ねじ）にねじ込むことによって弁座収容室１２２の先端部に取り付けられている。また、図３に示すように、吐出キャップ１４の底部には、流路１００ａ，１００ｂを流動した水をストレート状に吐出させるストレート吐出口１４１、および流路１００ｃを流動した水をシャワー状に吐出させるシャワー吐出口１４２が形成されている。また、同図に示すように、ストレート吐出口１４１には、吐出する水を整流するための整流板１４３が配設されている。また、吐出キャップ１４と本体部１２との接合部分、および整流板１４３と吐出キャップ１４との接合部分には、気密用のオーリング（環状パッキン）が配設されている。
【００３２】
弁体１５ａ，１５ｂ，１５ｃは、図３に示すように、弁座１３１ａ，１３１ｂ，１３１ｃの上方に配設されて、カムシャフト１６によって弁座１３１ａ，１３１ｂ，１３１ｃに対して接離する方向（接離方向）に移動させられることによって弁座１３１ａ，１３１ｂ，１３１ｃをそれぞれ開閉する。この場合、弁体１５ａ，１５ｂ，１５ｃは、図９に示すように、カムシャフト１６における後述するカム１６２の形成部位が挿入されるフレーム１５１と、各弁体１５ａ，１５ｂ，１５ｃを弁座１３１ａ，１３１ｂ，１３１ｃに向けて付勢するスプリング１５６（図３，４参照）の一端部（図３，４における下端部）が当接するばね受け１５２と、ばね受け１５２の下部に形成されて、カムシャフト１６のカム１６２が当接する突起部１５３と、弁座１３１ａ，１３１ｂ，１３１ｃの閉塞および開放を行う閉塞部１５４とを備えてそれぞれ構成されている。また、閉塞部１５４と弁座１３１ａ，１３１ｂ，１３１ｃとの接合部分には、気密用のオーリングが配設されている。
【００３３】
カムシャフト１６ａは、図１０に示すように、シャフト１６１ａ、３個のカム１６２ａ（図１１も参照）、および連結部１６３ａを備えて構成されている。シャフト１６１ａは、円柱状に形成され、先端部（図１０における左側端部）が、本体部１２の側壁１２１ａに形成されている凹部１２１ｃ（図６参照）に挿入されて、回動可能な状態で側壁１２１ａによって支持されている。
【００３４】
各カム１６２ａは、図１１に示すように、断面略台形状に形成され、隣接するカム１６２ａ同士のなす角度が１２０°となる状態でシャフト１６１ａの外周面からラジアル方向（シャフト１６１ａの半径方向）に突出するようにしてシャフト１６１ａに配設されている。なお、図１１では、カムシャフト１６ａ，１６ｂを軸線方向（図１０に示すＸ方向）から見た状態を図示している。
【００３５】
連結部１６３ａは、図１０に示すように、シャフト１６１ａよりも大径の円柱状に形成されている。また、連結部１６３ａには、カムシャフト１６ｂの一端部を挿入させてカムシャフト１６ａ，１６ｂを連結させるための連結穴１６４ａが形成されている。また、カムシャフト１６ａと本体部１２との接合部分には、気密用のオーリングが配設されている。
【００３６】
カムシャフト１６ｂは、図１０に示すように、シャフト１６１ｂ、３個のカム１６２ｂ、３個のカム１６２ｃ（図１１も参照：以下、カム１６２ａ，１６２ｂ，１６２ｃを区別しないときには「カム１６２」ともいう）、および連結部１６３ｂを備えて構成されている。シャフト１６１ｂは、円柱状に形成され、一端部（同図における左側端部）が、カムシャフト１６ａの連結部１６３ａに形成されている連結穴１６４ａに挿入されてカムシャフト１６ａに連結されている。
【００３７】
各カム１６２ｂは、図１１に示すように、シャフト１６１ａのカム１６２ａと同形状に形成され、隣接するカム１６２ｂ同士が１２０°をなし、かつカムシャフト１６ａ，１６ｂを軸線方向から見た状態において、隣接するカム１６２ａとのなす角度が４０°となる状態でシャフト１６１ｂの外周面からラジアル方向に突出するようにシャフト１６１ｂに配設されている。
【００３８】
カム１６２ｃは、図１１に示すように、カム１６２ａ，１６２ｂと同形状に形成され、隣接するカム１６２ｃ同士が１２０°をなし、かつカムシャフト１６ａ，１６ｂを軸線方向から見た状態において、隣接するカム１６２ａ，１６２ｂとのなす角度が４０°となる状態でシャフト１６１ｂの外周面からラジアル方向に突出するようにシャフト１６１ｂに配設されている。つまり、カムシャフト１６ａ，１６ｂの各カム１６２ａ，１６２ｂ，１６２ｃは、同図に示すように、カムシャフト１６ａ，１６ｂを軸線方向から見た状態において、軸線を中心とする回転方向に４０°刻みで並ぶように配設されている。
【００３９】
連結部１６３ｂは、図１０に示すように、シャフト１６１ｂよりも大径の円柱状に形成され、本体部１２の側壁１２１ｂに形成されている支持孔１２１ｄ（図６参照）に挿通され、回動可能な状態で側壁１２１ｂに支持されている。また、連結部１６３ｂには、図１０に示すように、回動機構１７における後述する表示部１７７の軸１７７ｂを挿入させる挿入穴１６４ｂが形成されている。また、カムシャフト１６ｂと本体部１２との接合部分には、気密用のオーリングが配設されている。
【００４０】
上記したように構成されたカムシャフト１６ａ，１６ｂでは、カムシャフト１６ａ，１６ｂが４０°回動する毎に、各カム１６２ａ，１６２ｂ，１６２ｃのうちのいずれか１つのカム１６２が弁体１５ａ，１５ｂ，１５ｃ（図９に示す突起部１５３）のうちのいずれか１つの弁体１５に当接してその弁体１５を上方（弁座１３１ａ，１３１ｂ，１３１ｃから離間する向き）に押圧して移動させる（押し上げる）。また、カム１６２による押圧が解除されたときには、その弁体１５がスプリング１５６の付勢力によって下方（弁座１３１ａ，１３１ｂ，１３１ｃに近接する向き）に移動させられる（押し下げられる）。このようなカムシャフト１６ａ，１６ｂおよび弁体１５ａ，１５ｂ，１５ｃの動作によって弁座ユニット１３の各弁座１３１ａ，１３１ｂ，１３１ｃが開閉され、これによって流路１００の切り替えが行われる。
【００４１】
回動機構１７は、図３，４に示すように、ラチェットシリンダ１７１、回動体１７２、Ｅスプリング１７３、スライダ１７４、ブッシュ１７５、スプリング１７６、表示部１７７およびプッシュボタン１７８を備えて構成されている。
【００４２】
ラチェットシリンダ１７１は、図１２，１３に示すように、本体部１７１ａ（シリンダ）、３個のラチェット爪１７１ｂ（第１ラチェット爪に相当する）、および３個のラチェット爪１７１ｃ（第２ラチェット爪に相当する）を備えて構成されている。本体部１７１ａは、円筒状に形成され、図１７に示すようにカムシャフト１６ｂ（具体的には、図１０に示す連結部１６３ｂの外側）に連結される。ラチェット爪１７１ｂは、図１２，１３に示すように、弧状に形成されると共に、図１２における本体部１７１ａの右側（一端部側）の外周面に等間隔に配設されて、図１９に示すように、回動体１７２における後述するラチェット歯１７２ｃ（第１ラチェット歯に相当する）と噛合する。なお、図１９では、ラチェットシリンダ１７１および回動体１７２以外の図示を省略している。ラチェット爪１７１ｃは、図１２，１３に示すように、弧状に形成されると共に、図１２における本体部１７１ａの左側（他端部側）の外周面に等間隔に配設され、図２０に示すように、本体部１２の円筒体１２３ｂに形成されているラチェット歯１２４（第２ラチェット歯に相当する）と噛合する。なお、図２０では、本体部１２およびラチェットシリンダ１７１以外の図示を省略している。
【００４３】
回動体１７２は、図１４，１５に示すように、本体部１７２ａ、３個の突起部１７２ｂおよび９個のラチェット歯１７２ｃ（第１ラチェット歯）を備えて構成されている。本体部１７２ａは、円筒状に形成され、図１７に示すようにラチェットシリンダ１７１の一端部側が挿入された状態でラチェットシリンダ１７１に連結される。各突起部１７２ｂは、図１４，１５に示すように、円柱状に形成され、本体部１７２ａの外周面からラジアル方向に突出するように等間隔に配設されている。また、突起部１７２ｂは、図１７に示すように、スライダ１７４における後述するスリット１７４ｃに嵌め込まれる。各ラチェット歯１７２ｃは、図１５に示すように、本体部１７２ａの内周面に等間隔で形成されている。
【００４４】
この場合、上記した、ラチェットシリンダ１７１のラチェット爪１７１ｂ，１７１ｃ（第１ラチェット爪および第２ラチェット爪）、回動体１７２のラチェット歯１７２ｃ（第１ラチェット歯）、並びに本体部１２のラチェット歯１２４（第２ラチェット歯）によってラチェット機構が構成される。
【００４５】
Ｅスプリング１７３は、図３に示すように、ラチェットシリンダ１７１および回動体１７２に挿入されたカムシャフト１６ｂの連結部１６３ｂの端部（同図における右側の端部）に形成されている溝に嵌め込まれることによって連結部１６３ｂからのラチェットシリンダ１７１および回動体１７２の抜けを防止する。
【００４６】
スライダ１７４は、スライド部に相当し、図１６に示すように、本体部１７４ａ、および３個の突起部１７４ｂを備えて構成され、図３に示すように、本体部１２の円筒体１２３ａの開口部側（同図における右側）に配設される。本体部１７４ａは、図１６に示すように、有底の円筒状に形成されている。各突起部１７４ｂは、本体部１７４ａの外周面における底部とは逆側（同図における左側）の縁部からラジアル方向に突出するように等間隔に配設されている。また、本体部１７４ａの周壁には、回動体１７２の突起部１７２ｂを嵌め込み可能な螺旋状の３個のスリット１７４ｃが等間隔に形成されている。この場合、各スリット１７４ｃは、同図に示すように、左らせん状に形成されている。
【００４７】
このスライダ１７４は、図１８に示すように、本体部１２の円筒体１２３ａに形成されている各スリット１２５に各突起部１７４ｂがそれぞれ嵌め込まれた状態で各スリット１２５の延在方向（カムシャフト１６ａ，１６ｂの長さ方向（シャワーヘッド１の長さ方向）であって、同図に示す矢印Ｚの方向）にスライドすることが可能となっている。また、このスライダ１７４では、各スリット１７４ｃが左らせん（Ｓ巻き）状に形成されているため、スライダ１７４を同図に示す矢印Ｚ２の向き（シャフト１６１ａ，１６１ｂの先端部に向かう向き）にスライドさせたときに、各スリット１７４ｃに各突起部１７２ｂが嵌め込まれている回動体１７２（図１７参照）が各スリット１７４ｃによって案内されて、図１９に示す矢印θ１の向き（一方の向きに相当し、流路切替器２の一端部２ａ側（図１参照）から回動体１７２を見た状態における右回り）に回動する。この場合、この流路切替器２では、回動体１７２が４０°だけ回動したときに突起部１７４ｂがスリット１２５の縁部に当接し、それ以上のスライダ１７４のスライドが規制されるように構成されている。
【００４８】
ブッシュ１７５は、図１８に示すように、本体部１２における円筒体１２３ａの開口部側（両図における右側）に取り付けられて、円筒体１２３ａのスリット１２５に嵌め込まれたスライダ１７４の突起部１７４ｂの抜けを防止する。
【００４９】
スプリング１７６は、付勢部に相当し、図３に示すように、本体部１２における円筒体１２３ａ，１２３ｂの間に配設され、シャフト１６１ａ，１６１ｂの先端部から離反する向き（同図に示す矢印Ｚ１の向き）にスライダ１７４を付勢する。
【００５０】
表示部１７７は、図３に示すように、円形の表示板１７７ａ、および表示板１７７ａに取り付けられた軸１７７ｂを備えて構成されている。また、表示部１７７は、同図に示すように、軸１７７ｂがカムシャフト１６ｂの連結部１６３ｂに形成されている挿入穴１６４ｂに挿入された状態で、表示板１７７ａがスライダ１７４よりも流路切替器２の一端部２ａ側に位置するように配設されて、カムシャフト１６ａ，１６ｂと共に回動する。また、表示板１７７ａの表面には、流路１００の種類を示す文字や図柄などの標識（図示せず）が記載され、カムシャフト１６ａ，１６ｂと共に表示部１７７が回動することにより、カムシャフト１６ａ，１６ｂの回動によって切り替えられる流路１００を示す標識がプッシュボタン１７８における後述する窓１７８ａを介して視認される。
【００５１】
プッシュボタン１７８は、図４に示すように、有底の円筒状に形成され、図３に示すように、スライダ１７４および表示部１７７を覆うようにして流路切替器２の一端部２ａ側に配設されている。また、プッシュボタン１７８の底部には、上記した表示部１７７の表示板１７７ａに記載されている上記した標識を視認させるための窓１７８ａが形成されている。
【００５２】
濾過器３は、図１，２に示すように、本体部２１と、本体部２１内に収容されたカートリッジフィルタ２２（濾過材）とを備えて構成されている。本体部２１は、円筒状に形成されて、一端部２１ａを流路切替器２の他端部２ｂに連結することが可能に構成されると共に、他端部２１ｂに図外の給水ホースを連結することが可能に構成されている。
【００５３】
次に、シャワーヘッド１の使用方法、およびその際のシャワーヘッド１を構成する各部の動作について説明する。
【００５４】
このシャワーヘッド１では、流路切替器２における回動機構１７のプッシュボタン１７８をシャワーヘッド１の長さ方向（カムシャフト１６ａ，１６ｂの長さ方向：図１に示す矢印Ｚの方向）に移動させることで、図外の給水ホースを介して供給される水の流路１００を切り替えて吐出させることが可能となっている。具体的には、図１に示す矢印Ｚ２の向き（シャフト１６１ａ，１６１ｂの先端部に向かう向き）にプッシュボタン１７８を押し込む。
【００５５】
この際に、図１８に示すように、プッシュボタン１７８の押し込みによってスライダ１７４が矢印Ｚ２の向きにスライドする。次いで、矢印Ｚ２の向きへのスライダ１７４のスライドに伴い、図１７に示すように、スライダ１７４における左らせん状の各スリット１７４ｃに各突起部１７２ｂが嵌め込まれている回動体１７２が、各スリット１７４ｃによって案内されて矢印θ１の向き（一方の向き）に回動する。
【００５６】
この際に、図１９に示すように、回動体１７２のラチェット歯１７２ｃとラチェットシリンダ１７１のラチェット爪１７１ｂとが噛合して、回動体１７２の回動に伴ってラチェットシリンダ１７１が回動体１７２と共に矢印θ１の向きに回動する。また、ラチェットシリンダ１７１に連結されているカムシャフト１６ｂ、およびカムシャフト１６ｂに連結されているカムシャフト１６ａが矢印θ１の向きに回動する。この場合、図２０に示すように、ラチェットシリンダ１７１が矢印θ１の向きに回動する状態では、本体部１２における円筒体１２３ｂのラチェット歯１２４とラチェットシリンダ１７１のラチェット爪１７１ｃとが噛合しない（噛合が解除される）ため、ラチェットシリンダ１７１の矢印θ１の向きの回動が許容される。
【００５７】
続いて、カムシャフト１６ａ，１６ｂが４０°回動したときには、各カム１６２ａ，１６２ｂ，１６２ｃ（図３参照）のうちのいずれか１つ（一例として、カム１６２ａ）が弁体１５ａ，１５ｂ，１５ｃ（同図参照）うちのいずれか１つ（この例では、弁体１５ａ）の突起部１５３（図９参照）に当接して、弁体１５ａを上方に押圧して移動させる（押し上げる）。これにより、弁体１５ａの閉塞部１５４が弁座１３１ａから離間して、弁座１３１ａが開放される。また、この状態では、弁体１５ｂ，１５ｃ（弁体１５ａを除く他の弁体１５）が、スプリング１５６の付勢力によって下方に押し付けられているため、弁座１３１ｂ，１３１ｃが閉塞されている。この結果、図外の給水ホースを介して供給されて濾過器３を通過した水（浄水）が、弁座１３１ａに連通する流路１００ａ（図３参照）を流動して、吐出キャップ１４のストレート吐出口１４１（同図参照）から吐出される。
【００５８】
また、カムシャフト１６ａ，１６ｂの回動に伴って表示部１７７が回動して、カムシャフト１６ａ，１６ｂと共に回動する。また、表示板１７７ａの表面に記載された流路１００ａを示す標識がプッシュボタン１７８の窓１７８ａを介して視認される。このため、シャワーヘッド１の使用者は、流路１００ａに切り替えられたことを認識することができる。
【００５９】
一方、回動体１７２が４０°回動したときに、それ以上のスライダ１７４のスライドが規制されるため、その時点でプッシュボタン１７８の押し込みを解除する。この際に、スプリング１７６の付勢力によってスライダ１７４、表示部１７７およびプッシュボタン１７８が図１８に示す矢印Ｚ１の向き（シャフト１６１ａ，１６１ｂの先端部から離反する向き）にスライドさせられて、これらが初期位置に復帰する。
【００６０】
また、図１７に示すように、矢印Ｚ１の向きへのスライダ１７４のスライドに伴い、回動体１７２が矢印θ１の向きとは逆の矢印θ２の向き（他方の向き）に回動して初期状態に復帰する。この場合、図１９に示すように、回動体１７２が矢印θ２の向きに回動する状態では、回動体１７２のラチェット歯１７２ｃとラチェットシリンダ１７１のラチェット爪１７１ｂとが噛合しない（噛合が解除される）ため、回動体１７２だけが回動する（回動体１７２が空回りする）。また、ラチェット歯１７２ｃとラチェット爪１７１ｂとの摩擦に起因して、ラチェットシリンダ１７１に対して矢印θ２の向きの回動力が作用したとしても、図２０に示すように、本体部１２における円筒体１２３ｂのラチェット歯１２４とラチェットシリンダ１７１のラチェット爪１７１ｃとが噛合するため、ラチェットシリンダ１７１の矢印θ２の向きの回動が規制される。このため、ラチェットシリンダ１７１に連結されているカムシャフト１６ａ，１６ｂの矢印θ２の向きの回動が規制される。
【００６１】
上記したように、ラチェットシリンダ１７１のラチェット爪１７１ｂ，１７１ｃ、本体部１２のラチェット歯１２４、および回動体１７２のラチェット歯１７２ｃによって構成されるラチェット機構の作用により、カムシャフト１６ａ，１６ｂの矢印θ１の向きの回動が許容され、矢印θ２の向きの回動が規制される。
【００６２】
次いで、図１に示す矢印Ｚ２の向きにプッシュボタン１７８を再度押し込んだときには、図１８に示すように、スライダ１７４が矢印Ｚ２の向きにスライドし、続いて、図１７に示すように、回動体１７２が矢印θ１の向きに回動する。この際に、図１９に示すように、回動体１７２のラチェット歯１７２ｃとラチェットシリンダ１７１のラチェット爪１７１ｂとが噛合して、ラチェットシリンダ１７１が回動体１７２と共に矢印θ１の向きに回動し、これに伴ってカムシャフト１６ａ，１６ｂが矢印θ１の向きに回動する。
【００６３】
次いで、カムシャフト１６ａ，１６ｂが４０°回動したときには、図３に示すように、例えば、カム１６２ｂが弁体１５ｂに当接して弁体１５ｂを上方に押圧して移動させ、これによって弁座１３１ｂが開放される。この結果、濾過器３を通過していない水（原水）が、弁座１３１ｂに連通する流路１００ｂ（同図参照）を流動して吐出キャップ１４のストレート吐出口１４１（同図参照）から吐出される。つまり、流路１００が流路１００ａから流路１００ｂに切り替えられる。
【００６４】
続いて、プッシュボタン１７８の押し込みを解除したときには、スプリング１７６の付勢力によってスライダ１７４、表示部１７７およびプッシュボタン１７８が図１８に示す矢印Ｚ１の向きにスライドさせられて、これらが初期位置に復帰する。また、図１７に示すように、矢印Ｚ１の向きへのスライダ１７４のスライドに伴い、回動体１７２が矢印θ２の向きに回動して初期状態に復帰する。
【００６５】
次いで、図１に示す矢印Ｚ２の向きにプッシュボタン１７８を再度押し込んだときには、上記したように、スライダ１７４が矢印Ｚ２の向きにスライドして、回動体１７２が矢印θ１の向きに回動し、これに伴ってラチェットシリンダ１７１およびカムシャフト１６ａ，１６ｂが矢印θ１の向きに回動する（図１７〜図１９参照）。
【００６６】
続いて、カムシャフト１６ａ，１６ｂが４０°回動したときには、例えば、カム１６２ｃが弁体１５ｃに当接して弁体１５ｃを上方に押圧して移動させ、これによって弁座１３１ｃが開放される。この結果、濾過器３を通過していない水（原水）が、弁座１３１ｃに連通する流路１００ｃ（図３参照）を流動して吐出キャップ１４のシャワー吐出口１４２（同図参照）から吐出される。つまり、流路１００が流路１００ｂから流路１００ｃに切り替えられる。
【００６７】
次いで、プッシュボタン１７８の押し込みを解除したときには、スプリング１７６の付勢力によってスライダ１７４、表示部１７７およびプッシュボタン１７８が矢印Ｚ１の向きにスライドさせられて初期位置に復帰し、これに伴って回動体１７２が矢印θ２の向きに回動して初期状態に復帰する（図１７，１８参照）。
【００６８】
以下、プッシュボタン１７８の押し込みおよび押し込みの解除を行うことで、流路切替器２の各部が上記した動作と同様に動作し、これによって流路１００の切り替えが行われる。
【００６９】
このように、この流路切替器２およびシャワーヘッド１によれば、カムシャフト１６ａ，１６ｂの長さ方向に沿ってスライド可能なスライダ１７４、およびスライダ１７４のスライドに伴って回動する回動体１７２を有する回動機構１７を備えたことにより、スライダ１７４をカムシャフト１６ａ，１６ｂの長さ方向に沿ってスライドさせることで、カムシャフト１６ａ，１６ｂを回動させて流路１００の切り替えを行うことができる。このため、この流路切替器２およびシャワーヘッド１によれば、従来の流路切替器のような切替レバーの揺動操作を不要とすることができる結果、操作性を十分に向上させることができる。また、この流路切替器２およびシャワーヘッド１によれば、本体部から突出する切替レバーをなくすことができるため、デザイン性を十分に向上させることができる。
【００７０】
また、この流路切替器２およびシャワーヘッド１によれば、螺旋状のスリット１７４ｃをスライダ１７４の周壁に形成し、スリット１７４ｃに嵌合する突起部１７２ｂを回動体１７２の外周面に形成したことにより、簡易な構成でありながら、カムシャフト１６ａ，１６ｂを確実に回動させることができるため、回動機構１７を十分に小型化することができる。したがって、この流路切替器２およびシャワーヘッド１によれば、回動機構１７のスペースを確保することによるデザイン上の制約を少なくし、これによってデザインの自由度を高めることができる結果、デザイン性をさらに向上させることができる。
【００７１】
また、この流路切替器２およびシャワーヘッド１によれば、回動体１７２とカムシャフト１６ａ，１６ｂとの間に介在してカムシャフト１６ａ，１６ｂの矢印θ１の向き（一方の向き）の回動を許容して矢印θ２の向き（他方の向き）の回動を規制するラチェット機構を備えたことにより、シャフト１６１ａ，１６１ｂの先端部側に向かう向きにスライダ１７４をスライドさせたときにのみカムシャフト１６ａ，１６ｂを回動させて流路１００を切り替えさせ、その逆向きにスライダ１７４をスライドさせたときには切り替え前の流路１００に戻ることなくそのままの流路１００に維持することができる。このため、この流路切替器２およびシャワーヘッド１によれば、ラチェット機構を備えていない構成とは異なり、カムシャフト１６ａ，１６ｂの長さ方向に沿ってスライダ１７４を往復させたときに、切り替えた流路１００が使用者の意図に反して切り替え前の流路１００に戻る事態を防止することができる結果、操作性をさらに向上させることができる。
【００７２】
また、この流路切替器２およびシャワーヘッド１によれば、ラチェット爪１７１ｂ，１７１ｃを有するラチェットシリンダ１７１と、回動体１７２の内周面に形成されてラチェット爪１７１ｂと噛合するラチェット歯１７２ｃと、本体部１２の円筒体１２３ｂの内周面に形成されて、ラチェット爪１７１ｃと噛合するラチェット歯１２４とを備えてラチェット機構を構成したことにより、簡易な構成でありながら、ラチェット機構としての機能を確実に実現することができるため、ラチェット機構を十分に小型化することができる結果、デザイン性をより向上させることができる。
【００７３】
また、この流路切替器２およびシャワーヘッド１によれば、シャフト１６１ａ，１６１ｂの先端部側に向かう向きにスライダ１７４がスライドさせられたときに回動体１７２が矢印θ１の向き（一方の向き）に回動するように回動機構１７を構成したことにより、スライダ１７４を押し込む操作によってカムシャフト１６ａ，１６ｂを回動させて流路１００の切り替えを行うことができるため、スライダ１７４を引っ張る操作でカムシャフト１６ａ，１６ｂを回動させて流路１００の切り替えを行う構成と比較してスライダ１７４に力を加えやすい結果、操作性をさらに向上させることができる。
【００７４】
また、この流路切替器２およびシャワーヘッド１によれば、シャフト１６１ａ，１６１ｂの先端部側から離反する向きにスライダ１７４を付勢するスプリング１７６を備えたことにより、シャフト１６１ａ，１６１ｂの先端部に向かう向きのスライダ１７４の押し込みを解除したときに、スライダ１７４を初期位置（押し込み前の位置）に自動的に復帰させることができるため、操作性を一層向上させることができる。
【００７５】
なお、流路切替器および浄水器は、上記の構成に限定されない。例えば、浄水器としてのシャワーヘッド１に適用した例について上記したが、水道の蛇口に取り付けて使用する蛇口固定型の浄水器に適用することもできる。また、濾過器３（浄水機能）を備えていない機器に流路切替器２を組み込んで使用する（つまり、流路切替器２を単体で使用する）こともできる。
【００７６】
また、３つの流路１００ａ，１００ｂ，１００ｃを切り替える流路切替器２に適用した例について上記したが、２つまたは４つ以上の任意の数の流路１００を切り替える流路切替器に適用することもできる。この場合、流路１００の数に応じて弁座１３１の数、弁体１５の数、カムシャフト１６におけるカム１６２の数、ラチェット歯１２４，１７２ｃの数、ラチェットシリンダ１７１におけるラチェット爪１７１ｂ，１７１ｃの数を増減することで、上記した各効果を実現することができる。
【００７７】
また、付勢部材としてのスプリング１７６を用いる構成例について上記したが、例えば、ゴム等の弾性部材を付勢部材として用いる構成を採用することもできる。
【００７８】
また、スプリング１７６を備えていない構成を採用することもできる。この場合、この構成では、プッシュボタン１７８を図１８に示す矢印Ｚ１の向きに引っ張ることで、プッシュボタン１７８を初期状態に復帰させることができる。
【００７９】
また、ラチェット機構は、ラチェットシリンダ１７１のラチェット爪１７１ｂ，１７１ｃ、回動体１７２のラチェット歯１７２ｃ、および本体部１２のラチェット歯１２４によって構成された上記の構成に限定されない。例えば、ラチェットシリンダ１７１にラチェット歯１７２ｃ，１２４と同様のラチェット歯を形成すると共に回動体１７２および本体部１２にラチェット爪１７１ｂ，１７１ｃと同様のラチェット爪をそれぞれ形成した構成や、ラチェット爪１７１ｂ，１７１ｃと同様の爪をカムシャフト１６ｂの連結部１６３ｂの外周面に形成した構成を採用することもできる。
【００８０】
また、ラチェット機構を備えていない構成を採用することもできる。この場合、この構成では、スライダ１７４のスライド可能な長さを長く（例えば、回動体１７２が１２０°回動する長さに）規定する。このように規定することで、スライダ１７４を図１８に示す矢印Ｚ２の向きに移動させて、回動体１７２を図１７に示す矢印θ１の向きに４０°回動させる毎に、流路１００ａ，１００ｂ，１００ｃをこの順序で順次切り替えさせ、スライダ１７４を図１８に示す矢印Ｚ１の向きに移動させて、回動体１７２を図１７に示す矢印θ２の向きに４０°回動させる毎に、流路１００ａ，１００ｂ，１００ｃをこの逆の順序で順次切り替えさせることができる。
【００８１】
また、回動機構は、上記した回動機構１７の構成に限定されない。例えば、上記した回動機構１７では、シャフト１６１ａ，１６１ｂの先端部側に向かう向きにスライダ１７４がスライドしたときに、回動体１７２が矢印θ１の向き（一方の向き）に回動するように構成されているが、シャフト１６１ａ，１６１ｂの先端部側から離反する向きにスライダ１７４がスライドしたときに、回動体１７２が矢印θ１の向きに回動するように回動機構を構成することもできる。
【００８２】
また、回動機構は、上記した回動機構１７の構成に限定されない。例えば、上記の回動機構１７では、突起部１７２ｂが形成された回動体１７２と、スリット１７４ｃが形成されたスライダ１７４とを備えているが、スライダ１７４のスリット１７４ｃと同様のスリットが形成された回動体と、回動体１７２の突起部１７２ｂと同様の突起部が形成されたスライダ（スライド部）とを備えて回動機構を構成することもできる。また、リンクや歯車を用いて回動機構を構成することもできる
【００８３】
また、互いに連結される２つのカムシャフト１６ａ，１６ｂを用いる例について上記したが、カムシャフト１６ａ，１６ｂを一体に形成した１つのカムシャフトを用いる構成を採用することもできる。
【符号の説明】
【００８４】
１  シャワーヘッド
２  流路切替器
３  濾過器
１２  本体部
１６ａ，１６ｂ  カムシャフト
１７  回動機構
２２  カートリッジフィルタ
１００ａ，１００ｂ，１００ｃ  流路
１２４，１７２ｃ  ラチェット歯
１３１ａ，１３１ｂ，１３１ｃ  弁座
１５ａ，１５ｂ，１５ｃ  弁体
１２１ａ，１２１ｂ  側壁
１６１ａ，１６１ｂ  シャフト
１６２ａ，１６２ｂ，１６２ｃ  カム
１７１  ラチェットシリンダ
１７１ｂ，１７１ｃ  ラチェット爪
１７２  回動体
１７２ｂ  突起部
１７４  スライダ
１７４ｃ  スリット
１７６  スプリング
【図１】
2018179042.tif 000003
【図２】
2018179042.tif 000004
【図３】
2018179042.tif 000005
【図４】
2018179042.tif 000006
【図５】
2018179042.tif 000007
【図６】
2018179042.tif 000008
【図７】
2018179042.tif 000009
【図８】
2018179042.tif 000010
【図９】
2018179042.tif 000011
【図１０】
2018179042.tif 000012
【図１１】
2018179042.tif 000013
【図１２】
2018179042.tif 000014
【図１３】
2018179042.tif 000015
【図１４】
2018179042.tif 000016
【図１５】
2018179042.tif 000017
【図１６】
2018179042.tif 000018
【図１７】
2018179042.tif 000019
【図１８】
2018179042.tif 000020
【図１９】
2018179042.tif 000021
【図２０】
2018179042.tif 000022